(57)【要約】  【課題】  収納室を容易に視認することができ、封止部を開封する際の押圧位置を容易に把握することができる医療用複室容器を提供する。  【解決手段】  薬剤を収納する２つの収納室９，１１、及びこれら収納室を仕切る仕切り用封止部１３を有する容器本体５と、この容器本体５に取り付けられ収納室１１から薬剤を排出可能な排出部７とを備え、仕切り用封止部１３が使用に際して開封されることで両収納室９，１１を連通する医療用複室容器であって、容器本体５には、両収納室９，１１の周縁部に沿って延びる輪郭線２１が設けられている。【選択図】  図１
2005125063.tif 000002
【特許請求の範囲】
【請求項１】
薬剤を収納する複数の収納室及びこれら収納室を仕切る仕切り用封止部を有する容器本体と、当該容器本体に取り付けられ前記収納室から薬剤を排出可能な排出部とを備え、前記仕切り用封止部が使用に際して開封されることで前記複数の収納室が連通される医療用複室容器であって、
前記容器本体には、少なくとも一つの前記収納室の周縁部に沿って延びる輪郭線が設けられている医療用複室容器。
【請求項２】
前記容器本体には、すべての前記収納室について前記輪郭線が設けられている請求項１に記載の医療用複室容器。
【請求項３】
前記容器本体には、前記仕切り用封止部の開封を促す表示が設けられている請求項１または２に記載の医療用複室容器。
【請求項４】
前記輪郭線は、前記容器本体に設けられる他の表示とは異なる色に着色されている請求項１から３のいずれかに記載の医療用複室容器。
【請求項５】
前記容器本体は、プラスチックフィルムによって第１面及び第２面からなる扁平状に形成され、
前記仕切り用封止部は、前記第１面及び第２面の内壁面を熱融着することで構成されており、
前記輪郭線は、前記第１面及び第２面の少なくとも一方に設けられている請求項１から４のいずれかに記載の医療用複室容器。
【発明の詳細な説明】
【技術分野】
【０００１】
本発明は、同時に配合すると経時変化を起こすような不安定な各種薬剤（液剤、粉末若しくは固形剤）を個別に収納する複数の収納室を備え、各室間を仕切っている封止部を開封することにより、各収納室内に収納されている薬剤を無菌状態で且つ異物を発生させることなしに混合できる医療用複室容器に関するものである。
【背景技術】
【０００２】
静脈注射により患者に投与される薬剤、または眼灌流液、腹膜透析液などの薬剤の中には、予め配合すると望ましくない経時的変化を起こすような不安定な薬剤がある。例えばアミノ酸輸液とブドウ糖輸液とを配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤には、例えば特許文献１に示されるような医療用複室容器が用いられることが多い。この医療用複室容器は、薬剤を収納する２つの収納室を備えたプラスチックフィルム製の容器本体と、この容器本体から薬剤を排出する排出部とを備えている。２つの収納室は、容器本体の内壁面を熱融着した封止部によって形成されている。使用に際しては、いずれかの収納室の中央付近を押圧し、収納室内の圧力を高めて封止部を開封する。これによって両収納室が連通し、２つの薬剤が混合される。その後、排出部を開封し、混合後の薬剤を患者に投与する。
【特許文献１】特開平９−３２７４９８号公報
【発明の開示】
【発明が解決しようとする課題】
【０００４】
ところで、上記のような複室容器は、透明のフィルムで形成されていることが多く、収納室間を仕切る封止部もフィルムの熱融着で形成されるため透明である。そのため、使用に際して封止部を開封すべき複室容器であることが視認しにくかった。これに起因して、容器のどの部分が収納室であるのかを視認することが難しく、これにより、封止部を開封する際にどの部分を押圧すればよいのかが分かりにくかった。
【０００５】
本発明は、上記問題を解決するためになされたものであり、収納室を容易に視認することができ、封止部を開封する際の押圧位置を容易に把握することができる医療用複室容器を提供することを目的とする。
【課題を解決するための手段】
【０００６】
本発明は、薬剤を収納する複数の収納室、及びこれら収納室を仕切る仕切り用封止部を有する容器本体と、当該容器本体に取り付けられ前記収納室から薬剤を排出可能な排出部とを備え、前記仕切り用封止部が、使用に際して開封されることで前記複数の収納室を連通させる医療用複室容器であって、上記目的を達成するためになされたものであり、前記容器本体には、少なくとも一つの前記収納室の周縁部に沿って延びる輪郭線が設けられている。
【０００７】
この構成によれば、収納室の周縁部に沿って輪郭線が設けられているため、容器本体が透明や単一色であっても、収納室が複数あることを認識できるとともに、収納室の位置を容易に視認することができる。これにより、複数の収納室の存在を認識できるため、封止部を開封し忘れるのを防止することができる。さらに、封止部を開封する際の押圧位置を容易に把握することができ、容器の操作性を向上することもできる。なお、輪郭線は、少なくとも一つの収納室の周縁部に設けられていれば押圧部分を特定できるが、すべての収納室に対して輪郭線を設けておくこともでき、こうすることで、複数の収納室の中から最も押圧しやすい位置を選択することができる。
【０００８】
また、上記輪郭線に加え、容器本体に、仕切り用封止部の開封を促す表示を設けることができる。こうすることで、作業者に対してこの容器が複室容器であることを強く認識させることができる。したがって、仕切り用封止部の開封忘れを防止することができ、混合前の薬剤が排出されるのを確実に防止することができる。
【０００９】
輪郭線は、容器本体に設けられる他の表示、つまり上記した封止部の開封を促す表示、成分表示等とは異なる色に着色されていることが好ましい。これにより、収納室の位置を容易に視認することができる。
【００１０】
また、容器本体は種々の態様で構成することができるが、例えば、プラスチックフィルムによって第１面及び第２面からなる扁平状に形成し、第１面及び第２面の内壁面を熱融着することで仕切り用封止部を形成したものとすることができる。この場合、輪郭線は、第１面及び第２面の少なくとも一方に設けられる。なお、容器本体が透明のフィルムで構成される場合には、輪郭線を容器本体の一方の面に設ければよいが、着色されたフィルムで構成される場合には、輪郭線を第１面及び第２面の両方に設けることが好ましい。
【発明の効果】
【００１１】
本発明によれば、収納室を容易に視認することができ、これによって封止部を開封する際に押圧位置を容易に把握することができる。その結果、複室容器を使用する際に、作業性を向上することができる。
【発明を実施するための最良の形態】
【００１２】
以下、本発明に係る医療用複室容器の一実施形態について図面を参照しつつ説明する。図１は本実施形態に係る医療用複室容器の平面図である。
【００１３】
図１に示すように、この医療用複室容器１は、矩形状の２枚のフィルムの周縁部３を熱融着して扁平の袋状に形成された容器本体５と、この容器本体５に接続され内部にゴム栓（図示省略）を有する薬剤排出部７とを備えている。容器本体５は、長手方向に並べて配置され薬剤が封入される第１収納室９及び第２収納室１１を有しており、２つの収納室９，１１は仕切り用封止部１３で仕切られている。また、上記した薬剤排出部７は容器本体５における第２収納室１１側の端部に接続されている。容器本体５において薬剤排出部７と反対側の端部には、容器１を吊り掛けるための吊掛孔１７が形成されている。
【００１４】
各収納室９，１１には、予め混合或いは溶解しておくとメイラード反応等の経時変化を起こすため隔離する必要がある各種薬剤ａ，ｂがそれぞれ封入されている。例えば一方の収納室にアミノ酸を含有する溶液、他方の収納室にブドウ糖を含有する溶液を収納することができる。また、必要に応じていずれか一方の収納室に電解質等を封入することもできる。さらに、液剤だけでなく、いずれか一方の収納室に固形または粉末薬剤を収納することもできる。
【００１５】
容器本体５を構成するフィルムの材質としては、ポリエチレン、ポリプロピレン、ポリスチレン等の熱可塑性樹脂等、種々の樹脂材料を採用することができる。但し、後述するように仕切り用封止部１３は容器本体５の内壁面同士を融着することから、容器本体５のフィルムは互いに相溶性が乏しく融点の異なる樹脂を混合した混合樹脂で形成することが好ましい。このようにすると、融着強度の制御が容易になるという利点がある。そのような樹脂の組み合わせとしては、例えばスチレン系樹脂、メタクリル酸エステル系樹脂、環状オレフィン樹脂、ポリ４−メチルペンテン、ポリエステル、ポリアミド、又はポリプロピレンから選ばれる樹脂と、ポリエチレンとの混合樹脂を例示することができる。そのうち、ポリエチレンとポリプロピレンとの混合樹脂、及びポリエチレンと環状オレフィン樹脂との混合樹脂は、医療用として安全性が確認されていること、及び製造上の取り扱いが確立されていることから特に好ましい。
【００１６】
また、容器本体５を形成するフィルムは、上述した樹脂のみからなる単層のフィルムの他、多層構造のフィルムを使用することができる。この場合、容器本体５の最内層を構成する樹脂層が上記のような樹脂から形成されていればよい。
【００１７】
仕切り用封止部１３は、容器本体５の内壁面同士を熱融着することで構成されており、収納室９，１１の内圧を高めると開封するようになっている。このような融着強度としては、例えば、直径１００ｍｍの円板でいずれかの収納室を押圧し、１０〜３０ｋｇ程度の力をかけたときに仕切り用封止部１３が開封するようなものが適当である。
【００１８】
また、容器本体５における一方の面には、各収納室９，１１の周縁部に沿って延びる輪郭線２１ａ，２１ｂが印刷されている。輪郭線２１ａ，２１ｂは、視認しやすくするため、１〜１０ｍｍの幅で形成することが好ましい。また、容器本体表面の他の表示、例えば成分表示（図示省略）等とは異なる色に着色されていることが好ましい。さらに、容器本体５において仕切り用封止部１３に沿う位置には、一対の仕切り線１９が印刷されるとともに、仕切り用封止部１３上に、「ここを開封」という開封を促す表示が印刷されている。なお、開封を促す表示であれば、これ以外の文を用いてもよいことは言うまでもない。
【００１９】
次に、上記のように構成された医療用複室容器の使用方法について説明する。複室容器１内の薬剤を患者に投与するには、まず、第１収納室９及び第２収納室１１のいずれかを押圧する。押圧位置としては、いずれかの収納室の中央部、或いは中央部からやや仕切り用封止部１３よりの位置が最も適切であるが、各収納室９，１１の位置が輪郭線２１ａ，２１ｂによって容易に視認することができるため、押圧位置を容易に把握することができる。こうして、いずれかの収納室を押圧すると、収納室内の圧力が高まって、仕切り用封止部１３が開封し両収納室９，１１が連通する。その結果、両収納室９，１１内の薬剤が混合される。続いて、薬剤排出部７のゴム栓に導管（図示省略）が接続された刺栓針（図示省略）を刺入すると、混合された薬液が導管を介して患者に投与される。
【００２０】
以上のように、本実施形態によれば、容器本体５の表面に、各収納室９，１１の周縁に沿って延びる輪郭線２１ａ，２１ｂが印刷されているため、容器本体５が透明であっても、２つの収納室を備えた複室容器であることを容易に視認できるとともに、各収納室９，１１の位置を容易に視認することができる。これにより、適切な押圧位置、つまり収納室９，１１の中央付近や仕切り用封止部１３に近い位置を容易に把握することができ、開封忘れの防止と開封作業時の操作性を向上することができる。さらに、仕切り用封止部１３に沿って仕切り線１９が印刷されているため、仕切り用封止部１３の位置を容易に視認することができ、これに基づいて適切な押圧位置を決めることができる。
【００２１】
以上、本発明の一実施形態について説明したが、本発明はこれに限定されるものではなく、その趣旨を逸脱しない限りにおいて種々の変更が可能である。例えば、上記実施形態では、収納室９，１１を容器本体５の縦方向に並べているが、図２に示すように、横方向に並べることもできる。この場合、輪郭線２１ａ，２１ｂはこれら収納室９，１１に沿って形成すればよい。また、輪郭線２１は、上記のように収納室周縁の内側に沿って形成してもよいし、図３に示す第１収納室９の輪郭線２１ａのように、収納室周縁の外側に沿って形成することもできる。
【００２２】
さらに、輪郭線２１は、必ずしも収納室９，１１の周縁に正確に沿っていなくてもよく、図４に示すように、収納室９，１１の周縁のおおよその位置が分かるように、収納室周縁内側の対向する位置に、閉じた領域（例えば多角形状、円状、楕円状等）を形成するように輪郭線２１ａ，２１ｂを施してもよい。このとき、輪郭線２１は必ずしも連続した閉じた線で構成されていなくてもよく、一部が不連続な線であってもよい。例えば、図４に示すように、第２収納室１１の輪郭線２１ｂにおいて、薬剤排出部７と対応する部分を不連続にすることができる。また、同図に示すように、仕切り用封止部１３の位置を示す仕切り線１９を、仕切り用封止部１３上に形成することもできる。
【００２３】
また、図５に示すように、第１収納室９の中に、例えばビタミン剤が封入された小容器２３を収納し、これを容器本体５の対向する内壁面に熱融着で固定しておくこともできる。この小容器２３は、上記仕切り用封止部１３と同一構成の封止部２３ａによって仕切られる２つの室を有している。この構成により、仕切り用封止部１３が開封するときの収容室９内壁面同士の離間に伴って、小容器２３が引っ張られて破断し、小容器２３内の薬剤が各収納室９，１１の薬剤に混合される。このような複室容器は、主として中心静脈投与用の高カロリー輸液（ＩＶＨ）に用いることができる。この場合、各収納室９，１１の輪郭線２１に加え、小容器１９の輪郭線２１ｃを容器本体５に形成しておくと、小容器を有する複室容器であることを容易に視認することができる。なお、図５は小容器２３として、複数の室から構成される多室型ものを示したが、１室からなるものであっても同様に実施することができる。
【００２４】
このような１室からなる小容器の例を図６に示す。図６の小容器２３は、その周縁が熱融着されて内部に一の室を形成するとともに、容器本体５の対向する内壁面に周縁部が熱融着されている。そして、小容器２３の外周縁に輪郭線２１ｃが形成されるとともに、第１収納室９の輪郭線２１ａにおいて、小容器２３の輪郭線２１ｃと交差する部分が不連続にされている。また、仕切り用封止部１３の位置を示す仕切り線１９は、図６に示すように、仕切り用封止部１３と第２収納室１１との境界部分に形成することができる。
【００２５】
さらに、図７に示すように、第２収納室１１と排出部７との間に、排出規制用封止部２５を設けることもできる。この排出規制用封止部２５は、仕切り用封止部１３と同様に、容器本体５の内壁面同士を熱融着したものであり、第２収納室１１と排出部７とを仕切っている。この排出規制用封止部２５によって、次の効果を得ることができる。すなわち、仕切り用封止部１３を開封する前に、排出部７から薬剤を取り出そうとしても、排出規制用封止部２５によって第２収納室１１と排出部７との間が遮断されているため、薬剤の排出を防止することができる。したがって、混合前の薬剤が排出されるのを確実に防止することができる。このような排出規制用封止部２５を設けた場合、仕切り用封止部１３と同様に、仕切り線２７を印刷したり、排出規制用封止部２５の開封を促す表示を設けることができる。これにより、排出規制用封止部２５が形成されていることをより確実に視認することができる。
【００２６】
本発明では、輪郭線２１の線種は、特に限定されるものではなく、連続線、波線、波線、一点鎖線等、種々の線種にすることができる。また、色についても、一色で構成してもよいし、二色以上を組み合わせたものとすることもできる。さらに、上記実施形態では、輪郭線２１を印刷によって形成しているが、容器本体５にシールを貼り付けることで、形成することもできる。また、輪郭線２１は、上記のようにすべての収納室の周縁部に設けてもよいし、いずれか一つの収納室に対して設けることもできる。但し、すべての収納室に輪郭線を設けておくと、押圧位置を適宜選択することができるため、有利である。
【００２７】
上記実施形態では、容器本体５が透明のフィルムで構成されているため、輪郭線２１を容器本体５の一方の面に印刷しても両方の面から輪郭線２１を視認することができるが、例えば容器本体５が着色されたフィルムで構成されている場合には、両方の面に輪郭線を設けることが好ましい。
【００２８】
また、上記実施形態では、収納室の数を２つにした容器本体について説明したが、これに限定されるものではなく、３以上の収納室を設けることもできる。
【図面の簡単な説明】
【００２９】
【図１】本発明に係る医療用複室容器の一実施形態を示す平面図である。
【図２】本発明に係る医療用複室容器の他の例を示す平面図である。
【図３】本発明に係る医療用複室容器の他の例を示す平面図である。
【図４】本発明に係る医療用複室容器の他の例を示す平面図である。
【図５】本発明に係る医療用複室容器の他の例を示す平面図である。
【図６】本発明に係る医療用複室容器の他の例を示す平面図である。
【図７】本発明に係る医療用複室容器の他の例を示す平面図である。
【符号の説明】
【００３０】
１  医療用複室容器
５  容器本体
９，１１  収納室
１３  仕切り用封止部
１９  仕切り線
２１  輪郭線
【図１】
2005125063.tif 000003
【図２】
2005125063.tif 000004
【図３】
2005125063.tif 000005
【図４】
2005125063.tif 000006
【図５】
2005125063.tif 000007
【図６】
2005125063.tif 000008
【図７】
2005125063.tif 000009